(57)【要約】【課題】軽量で使いやすく、収納スペースが少なくて済み、移送、保管時のコストが低い膝掛け毛布付きクッションを提供する。【解決手段】膝掛け毛布付きクッション１０は、空気充填時によって湾曲円柱状に膨らむエアクッション１１と、このエアクッションを収容する開口部を有し、膨らんだエアクッション１１を出し入れ自在に収容する収容袋１２と、この収容袋１２と連結ベルト２０で連結された膝掛け毛布１３とを備える。【選択図】図１
0003225037.tif 000002
【実用新案登録請求の範囲】
【請求項１】
空気充填口を有し、空気充填によって湾曲円柱状に膨らむエアクッションと、
前記エアクッションを収容する開口部を有し、膨らんだ前記エアクッションを収容した状態で湾曲円柱形になる収容袋と、
前記収容袋が連結された膝掛け毛布と、を備えた膝掛け毛布付きクッション。
【請求項２】
前記収容袋の内面に中綿が充填されている請求項１記載の膝掛け毛布付きクッション。
【請求項３】
前記収容袋と前記膝掛け毛布が、着脱自在に連結されている請求項１または２記載の膝掛け毛布付きクッション。
【請求項４】
前記収容袋と前記膝掛け毛布が、前記収容袋の湾曲方向に沿って複数個所で連結されている請求項１〜３のいずれかに記載の膝掛け毛布付きクッション。
【請求項５】
前記膝掛け毛布を使用者の膝上に掛けた状態で、前記収容袋は、使用者の腹部を囲むような湾曲円柱形である請求項１〜４のいずれかに記載の膝掛け毛布付きクッション。
【考案の詳細な説明】
【技術分野】
【０００１】
本考案は、膝掛け毛布付きクッションに関する。ここにいうクッションとは、椅子の背もたれなどに配置して持たれる通常のクッションとは異なり、膝の上に乗せ、その上に肘または腕を置いて、雑誌などを安定した状態で読めるようにしたものである。
【背景技術】
【０００２】
美容院でパーマをかけているときなどに、雑誌などを読むために、膝の上に載せる膝上クッションが知られている。このような膝上クッションは、中にビーズが充填されており、表面形状が変化する。そのため、膝上クッション上に肘や腕を置いて、雑誌などを読むことができる。同様な用具として、特許文献１には、発泡樹脂の粒成物を充填した扁平な収容袋体と、その上に設ける平板とからなる携帯用トレイが開示されている。このものは膝の上に収容袋体を載置し、平板の上にノートパソコンなどを載せる。それにより、凹凸のある膝や大腿の上でも、安定した状態で支持することができる。
【０００３】
特許文献２には、四角形の布部を有し、四隅の一つに適度な重量を有する厚肉部を設けた膝掛けが開示されている。このものは厚肉部の重量によって膝掛けが脚の上に保持されるため、ずり落ちを防止できる。
【０００４】
特許文献３には、シート状部材の中央に収容袋状部を設け、その収容袋状部の中に発泡樹脂や空気収容袋などの扁平なクッション材を取り出し自在に収容した多目的布製品が開示されている。このものは椅子の上に載せたクッションの上に座ることができ、さらにひざ掛けのように使用することもできる。
【先行技術文献】
【特許文献】
【０００５】
【特許文献１】登録実用新案第３０９３０８１号公報
【特許文献２】登録実用新案第３０１０４１９号公報
【特許文献３】特開２０１７−９３５４９号公報
【考案の概要】
【考案が解決しようとする課題】
【０００６】
従来の膝上クッションや特許文献１の携帯用トレイは、収容袋体の中にビーズが入っているので、重量があり、載せる物の形状に倣う利点がある。しかし重量があり、嵩張るという問題がある。そのため、搬送や保管にある程度のスペースを要する。特許文献２の膝掛けは厚肉部を含めてもそれほど重くはない。また、折り畳むことができるので、嵩張らない。しかし立体形状でないので、使用者の肘や腕を置いて雑誌等を読むのに適していない。
【０００７】
特許文献３の多目的布製品は、膝掛け、座布団など、多くの用途に用いることができる。また、クッションとして空気収容袋を使用することにも言及している。しかし基本形状はシートであって、膝上クッションとしては使用できない。
【０００８】
本考案は、軽量で使いやすく、収納スペースが少なくて済む膝掛け毛布付きクッションを提供することを課題としている。
【課題を解決するための手段】
【０００９】
本考案者は、上記課題を解決すべく鋭意検討を重ねた結果、以下の本考案を完成するに到った。
【００１０】
（１）空気充填口を有し、空気充填によって湾曲円柱状に膨らむエアクッションと、このエアクッションを収容する開口部を有し膨らんだエアクッションを収容した状態で湾曲円柱形になる収容袋と、この収容袋が連結された膝掛け毛布と、を備えた膝掛け毛布付きクッション。
（２）収容袋の内面に中綿充填部を有する（１）に記載の膝掛け毛布付きクッション。
（３）収容袋と膝掛け毛布が、着脱自在に連結されている（１）または（２）に記載の膝掛け毛布付きクッション。
（４）収容袋と膝掛け毛布が、収容袋の湾曲方向に沿って複数個所で連結されている（１）〜（３）のいずれかに記載の膝掛け毛布付きクッション。
（５）膝掛け毛布を使用者の膝上に掛けた状態で、収容袋は、使用者の腹部を囲むような湾曲円柱形である（１）〜（４）のいずれかに記載の膝掛け毛布付きクッション。
【考案の効果】
【００１１】
本考案の膝掛け毛布付きクッションは、膝掛け毛布で大腿部や膝を保温することができる。そして、膝掛け毛布の上にはエアクッションが設けられているので、使用者は、エアクッションの上に肘や腕を載せて雑誌を保持したり、あるいはエアクッションの上に直接書物を置いたりして、書物を読むことができるので、長時間の読書でも腕が疲れず、リラックスして読書を楽しむことができる。さらにエアクッションは軽量であるので、膝の負担になることがない。また、使用しないときは、エアクッションの空気を抜いておくことにより、コンパクトに畳むことができ、保管や移送が容易である。
【図面の簡単な説明】
【００１２】
【図１】本考案の膝掛け毛布付きクッションの一実施形態を示す一部切り欠き斜視図である。
【図２】図１のＸ-Ｘ線断面図である。
【図３】（ａ）はエアクッションの平面図、（ｂ）は正面図、（ｃ）は側面図である。
【図４】エアクッションを取り出した収容袋を示す一部切り欠き斜視図である。
【図５】膝掛け毛布付きクッションの使用状態を示す概略斜視図である。
【考案を実施するための形態】
【００１３】
以下、本考案の一実施形態を図１〜５に基づいて説明する。図１に示す膝掛け毛布付きクッション１０は、エアクッション１１と、そのエアクッション１１を出し入れ自在に収容する収容袋１２と、その収容袋１２と連結ベルト２０で連結された膝掛け毛布１３（以下、単に毛布１３ということがある。）とを備える。
なお、図１は収容袋１２の一部を切り欠いて、内部に収容されたエアクッション１１が露出させている。
毛布１３は長方形であり、一端に収容袋１２が着脱自在に連結されている。また、収容袋１２は、内面に中綿１２ｄが充填されている。
【００１４】
エアクッション１１は、空気枕や浮き輪のように、空気充填時に一定形状に膨らみ、空気を抜いた時に扁平にしぼむものである。空気を充填すると湾曲した円柱状に膨らむ。図２に示すように、膨らんだエアクッション１１の中心部１４は略円形の断面形状を呈する。また、膨らんだ状態で、エアクッション１１は、図３（ａ）に示すようにバナナ状ないし三日月状の平面形状を呈し、円弧状に湾曲している。図３（ｂ）、（ｃ）に示すように、中心部１４は太い円柱状で、端部１５に向かうにつれていくらか細くなっている。それにより弾力的に変形させやすく、凹湾曲部１６を身体の腹部に沿わせたり、あるいは外したりする操作が容易である。
【００１５】
エアクッション１１は、たとえば気密性を有する合成樹脂シートを２枚重ねてバナナ状ないし三日月状にカットし、周縁部をシールし、端部１５近辺にエアバルブ１７（空気充填口）を取り付けることにより製造することができる。なお、液密性を有する場合は水を充填し、ウォータクッションとして使用することもできる。耐熱性を有する場合は、湯ないし温水を充填してリラクゼーション効果をもたらすこともできる。エアバルブ１７は浮き輪に用いられているものと同様の公知のものである。
【００１６】
収容袋１２は、図１および図２に示すように、膨らませたエアクッション１１をほぼ隙間なく収容できる大きさで、エアクッション１１と同じ形状を有する。収容袋１２はエアクッション１１と同様に、バナナ状にカットした柔軟な収容袋片１２ａ、１２ａを上下２枚重ね、それらの周囲を縫い合わせることにより製造することができる。
図４に示すように、それぞれの収容袋片１２ａは外布地１２ｂと、内生地１２ｃと、それらの間に充填される中綿１２ｄとからサンドイッチ状に構成している。中綿１２ｄとしては、合成繊維、天然繊維、獣毛、羽毛等を用いることができる。
【００１７】
中綿１２ｄを設けた収容袋１２は、重量感があり、エアクッション１１を収容した状態で体から滑り落ちることを防止することができる。また、収容袋１２に厚みがあるので、クッション性が増加する。逆に弾発性が緩和され、エアクッション１１により押し返される感覚が抑制される。中綿１２ｄは洗濯できる素材で作成するのが好ましい。外生地１２ｂ、内生地１２ｃ、中綿１２ｄは、全体として柔軟性を有し、重量感もあるので身体に安定して沿わせることができる（図５参照）。
【００１８】
収容袋１２には、凹湾曲部１６の中心に沿って、膨張時のエアクッション１１を収容するための開口部１８が形成されている。開口部１８はスライドファスナー１９で開閉自在としている。なお、スライドファスナー１９に代えて、スナップ、ボタン、面ファスナーなどで閉じるようにしてもよい。開口部１８は収容袋１２の凹湾曲部１６に沿って設けると、膨張時のエアクッション１１を凸面側から収容袋１２に入れやすい。また、開口部１８やスライドファスナー１９が目立たないので見栄えがよい。
【００１９】
収容袋１２の凹湾曲部１６側には、複数枚（ここでは４枚）の連結ベルト２０が縫着されている。連結ベルト２０の先端には毛布１３と着脱自在に連結するためのスナップ（ホック）２１が縫い付けられている。収容袋１２と毛布１３が着脱自在に連結されているので、片方だけでも使用することができる。収容袋１２を直接毛布１３に着脱自在に連結することもできるが、連結ベルト２０を介して毛布１３に取り付けることにより、エアクッション１１を収容した収容袋１２と毛布１３との間に相対的な位置ずれを許容する余裕が生まれる。それにより、膝に掛けている毛布１３をほとんど動かさずにエアクッション１１入りの収容袋１２をいくらか動かすことができる。
【００２０】
毛布１３は長方形状で、図５に示すように、エアクッション１１入りの収容袋１２が使用者２２の腹部を囲むように膝２２ａの上に載せたとき、毛布１３が膝２２ａを覆うのに十分な長さを有するのがよく、脚部２２ｂの途中まで垂れる程度の長さを有するのが好ましい。毛布１３の幅も膝２２ａを覆うのに十分な長さを有するのがよい。毛布１３の角に丸みを持たせてもよい。毛布１３の厚さは通常用いられているひざ掛け程度でよい。ただし季節によって変えてもよく、その場合は収容袋１２を毛布１３から外して他の毛布に連結する。
【００２１】
毛布１３としては、従来から膝掛けとして使用されているものであれば使用可能であり、例えば、ニューマイヤー毛布、マイヤー毛布、フリース毛布、マイクロファイバー毛布などの化学繊維の毛布、ウール毛布、カシミヤ毛布、綿毛布、シルク毛布などの天然素材の毛布が挙げられる。
【００２２】
上記のように構成される膝掛け毛布付きクッション１０は、図５に示すように、凹湾曲部１６を腹部に沿わせるようにして毛布１３を膝２２ａの上に載せて使用する。それにより、使用者２２は肘または腕をエアクッション１１の上に載せて、手に持った雑誌Ｚを読んだり、あるいは直接雑誌Ｚをエアクッション１１の上に載せて雑誌Ｚを読んだりすることができる。従って、パーマネントを当てているときのように、長時間同じ姿勢を続ける場合でも、雑誌Ｚを持つ手や腕が疲れることが少なく、リラックスして雑誌Ｚを楽しむことができる。
【００２３】
さらに、エアクッション１１を入れた収容袋１２の凹湾曲部１６側が毛布１３に連結されているので、毛布１３が腹部とエアクッション１１の間に介在される。また、収容袋の外生地１２ｂや中綿１２ｄも身体とエアクッション１１の間に介在される。そのため、使用者２２の膝や腹部が冷えるのを防止することができる。毛布１３や収容袋１２の生地はフリースなど、起毛した素材が暖かさを維持するために好ましい。
【００２４】
毛布１３は比較的身体に密着するので身体からずれにくいが、エアクッション１１入りの収容袋１２は円柱状で弾力性に富むので、転がったり滑ったりしやすいが、毛布１３と連結されているので、エアクッション１１入りの収容袋１２が毛布１３から転がり落ちたり滑り落ちたりするのを防ぐことができる。
【００２５】
以上、好ましい実施形態について説明したが、本考案は上記実施形態に限定されるものではなく、種々の変形を設けることができる。たとえば収容袋１２の上面を曲面でなく、平面あるいは凹面とした場合は、載せている物が落ちにくくなる。また、収容袋１２の左右端にベルトないし紐を連結し、腰回りに結び付けたり、面ファスナーで締結したりするようにしてもよい。また前記実施形態では１個のエアクッション１１を収容袋１２に収容しているが、エアクッション１１を分割して２個または３個以上のエアクッションを入れるようにしてもよい。収容袋１２と毛布１３は着脱自在であるが、直接あるいは連結ベルトを介して外せないように縫い付けることもできる。また、必要に応じて収容袋１２の中綿１２ｄは省略してもよい。
【符号の説明】
【００２６】
１０  膝掛け毛布付きクッション
１１  エアクッション
１２  収容袋
１２ａ  収容袋片
１２ｂ  外生地
１２ｃ  内生地
１２ｄ  中綿
１３  膝掛け毛布
１４  中心部
１５  端部
１６  凹湾曲部
１７  エアバルブ（空気充填口）
１８  開口部
１９  スライドファスナー
２０  連結ベルト
２１  スナップ
２２  使用者
２２ａ  膝
２２ｂ  脚部
Ｚ  雑誌
【図１】
0003225037.tif 000003
【図２】
0003225037.tif 000004
【図３】
0003225037.tif 000005
【図４】
0003225037.tif 000006
【図５】
0003225037.tif 000007